(57)【要約】      （修正有） 【課題】ヒスイが含有する微量元素および物理特性により、美顔と健康の効果が得られる美顔健康ヒスイマスクを提供する。【解決手段】ヒスイ塊を、連結紐で縦横に結び、顔の形に合わせた形状のヒスイマスクに形成する。ヒスイ塊の形は球、円柱、直方体、立方体、六角柱、八角柱、楕円柱の何れかである。ヒスイマスクには、目、口に対応する位置に開口を、及び鼻に対応する位置に開口または張り出しを設け、左右両端にそれぞれ耳掛け紐を設ける。【選択図】図１
0003157644.tif 000002
【実用新案登録請求の範囲】
【請求項１】
ヒスイ塊を連結紐で縦横に結び付け、顔の形に合わせた形状に形成したヒスイマスクであって、人の目、口の各位置に開口を設け、鼻に対応する位置に開口または張り出しを設けることとを特徴とする美顔健康ヒスイマスク。
【請求項２】
前記請求項１に記載の美顔健康ヒスイマスクにおいて、
前記ヒスイ塊の形状が球、円柱、直方体、立方体、六角柱、八角柱、楕円柱の何れかであることを特徴とする美顔健康ヒスイマスク。
【請求項３】
前記請求項１に記載の美顔健康ヒスイマスクにおいて、
前記人の目に対応する位置に設けた開口の大きさと形状が人の目の大きさと形状と一致することを特徴とする美顔健康ヒスイマスク。
【請求項４】
前記請求項１に記載の美顔健康ヒスイマスクにおいて、
前記人の口に対応する位置に設けた開口の大きさと形状が人の口の大きさと形状と一致することを特徴とする美顔健康ヒスイマスク。
【請求項５】
前記請求項１に記載の美顔健康ヒスイマスクにおいて、
前記人の鼻に対応する位置に設けた開口の大きさと形状が人の鼻の大きさと形状と一致することを特徴とする美顔健康ヒスイマスク。
【請求項６】
前記請求項１に記載の美顔健康ヒスイマスクにおいて、
前記人の鼻に対応する位置に設けた張り出しの大きさと形状が人の鼻の大きさと形状と一致すること、及び、鼻孔に対応する位置に切り込み穴を設けることを特徴とする美顔健康ヒスイマスク。
【請求項７】
前記請求項１に記載の美顔健康ヒスイマスクにおいて、
前記マスクの左右両端にそれぞれ耳掛け紐を取り付け、一本の耳掛け紐がマスクの上下２箇所で結ばれて、結び目を自由に結んだり解いたりできるようにして、紐の緩みを調整可能にすることを特徴とする美顔健康ヒスイマスク。
【請求項８】
前記請求項１に記載の美顔健康ヒスイマスクにおいて、
前記ヒスイ塊に代えて、大理石塊、水晶塊または磁石塊を使用し、若しくはこれらを混合して使用することを特徴とする美顔健康ヒスイマスク。
【考案の詳細な説明】
【技術分野】
【０００１】
本考案は美容と健康用のマスクに係り、特に天然素材たるヒスイに含まれる微量元素の物理特性を利用する美顔健康ヒスイマスクに関する。
【背景技術】
【０００２】
従来、吸湿性素材に美容液を含浸させた、シート状の使い捨て美容マスクが種々市販されてきた。このようなマスクは、顔の皮膚に対する保湿・滋養効果を与えるものの、皺、シミの除去にほとんど満足な効果を与えないばかりか、各種皮膚疾患の副作用を起こしたこともある。また、特許文献１に開示されている美容マッサージマスクは、宝石を素材としつつも、レーザー発生器とエア注入ポンプという人工物を使用するものである。特許文献２の美顔用マスクも、人工物たる炭素粉末含有組成物を使用するものである。
【先行技術文献】
【特許文献】
【０００３】
【特許文献１】実用新案登録第３１２２０１２号
【特許文献２】実願平８−１２７０９
【考案の概要】
【考案が解決しようとする課題】
【０００４】
しかしながら上記の従来技術によっては、天然物のみによる美容・健康効果を達成することはできず、使い心地が悪く、安心、安全、快適への配慮が欠けていた。本考案はこのような問題を解決するために、天然ヒスイ固有の美容、滋養、目の疲れ解消の効果に、ヒスイ塊の重量によるツボへの刺激を加味して、美容・健康の双方の効果を兼ね具える美顔健康ヒスイマスクを提案しようとする。
【課題を解決するための手段】
【０００５】
本考案が提案する美顔健康ヒスイマスクは純粋天然素材であるヒスイ塊からなる。ヒスイは人体に欠かせないセレン、亜鉛、ニッケル、コバルト、マンガン、マグネシウム、カルシウムなど３０種類以上の微量元素を含有し、常温でも遠赤外線や陰イオンが放出されて肌の深くまで浸透し、新陳代謝を促進するという物理特性を有する。中国ではヒスイが具える美容、滋養、明目の効果が古くから知られ、美容と健康を増進する素材として利用されてきた。
【０００６】
本考案は、ヒスイが具える上記美容・健康上の効能に着目する。すなわち、ヒスイ塊を連結紐で縦横に連ね、顔皮膚上に完全に密着するマスク形状に成形し、人の目、口に対応する位置に開口を、また鼻に対応する位置に開口または張り出しを設け、左右両側にそれぞれ耳掛け紐を付ける。ヒスイ塊の配列は、グリッド状や互い違いなど任意のパターンが可能である。これにより、ヒスイによる美容効果と共に、ヒスイ塊の重量によるツボ刺激の効果をも兼ね具える美顔・健康ヒスイマスクが提供される。
【考案の効果】
【０００７】
顔を仰向けて本考案のマスクを顔に被せると、ヒスイ塊が顔面に密着し、個々のヒスイ塊と顔面とが点接触状態となって確実に顔のツボに当り、ヒスイ塊の重量による刺激により、顔のたるみやむくみを改善する効果が得られる。また、ヒスイ塊から放出される遠赤外線や陰イオンによって血行が促進され、新陳代謝が高まり、顔肌の弾力増強、皺、シミの除去と美白、および目、顔、脳のストレス解消の効果が得られる。
【図面の簡単な説明】
【０００８】
【図１】本考案に係るヒスイマスクの第１実施例を示す平面図である。
【図２】図１のヒスイマスクが自由に折り曲げ可能であることを示す立体図である。
【図３】本考案に係るヒスイマスクの第２実施例による鼻部分の張り出しを示す立体図である。
【図４】本考案のヒスイマスクにおけるヒスイ塊の間にヒスイ以外の穴明き材を挟んだ状態を示す平面図である。
【考案を実施するための形態】
【０００９】
本考案について、添付図面を参照し、好適な実施例を挙げながら詳細に説明する。
（第１実施例）
本考案の第１実施例を図１および図２に示す。ヒスイ塊（１）が連結紐（２）により縦横に結び付けられて、両側に耳掛け紐（３）が設けられている。
【００１０】
本考案におけるヒスイ塊（１）は、ヒスイ原石から切断、切削、研磨などの加工がされ、表面が極めて滑らかで、肌に触れる心地が快適になっている。ヒスイ塊（１）の形状は球、円柱、直方体、立方体、六角柱、八角柱、楕円柱の何れかとし、各種形状のものを混合使用しても良い。
ヒスイ塊（１）の中心線に沿って縦横に連結紐（２）を通す穴を明ける。なお、ヒスイ塊（１）の大きさは特に限定されないが、直径：６ｍｍ〜１５ｍｍ程度が好ましい。
【００１１】
ヒスイ塊（１）は、中心穴に連結紐（２）を通すことによって縦方向に上下並列のグリッド状パターンに結び付けられて、顔の形に合わせたマスク状に形成される。本考案のマスクは中心線を基準に左右対称形をなし、人の目、鼻、口に対応する各位置に開口（４）（５）（６）を設け、それぞれの開口が目、鼻及び口に合うような形と大きさに形成される。
縦方向のヒスイ塊（１）の並べ方は、上下並列のグリッド状に限らず、互い違いなど任意のパターンが可能である。また、ヒスイ塊（１）の間にヒスイ以外の穴明き材を挟むことにより、ヒスイ塊（１）の間隔を拡げても良い。
【００１２】
本考案のマスクの左右両端にそれぞれ耳掛け紐（３、３）が取り付けられ、一本の耳掛け紐（３）はマスクの上下２箇所で結ばれて、上の結び目が目の位置のあたりに、下の結び目が口と鼻の間に来るようにする。結び目を自由に結んだり解いたりできるようにして紐の緩みを調整可能にする。耳掛け紐（３）には、麻縄、皮紐、ナイロン紐などを用いることができる。本考案のマスクの大きさは、大人の顔全体を覆うことができるように、長さ：２４０ｍｍ〜２９０ｍｍ、高さ：１８０ｍｍ〜２２０ｍｍ位が好ましい。
なお、ヒスイ塊（１）に代えて、大理石塊、水晶塊、磁石塊を使用し、又はこれらを混合して使用することもできる。
【００１３】
（第２実施例）
本考案におけるヒスイ塊（１）は、ヒスイ原石から切断、切削、研磨などの加工がされ、表面が極めて滑らかで、肌に触れる心地が快適になっている。ヒスイ塊（１）の形状は球、円柱、直方体、立方体、六角柱、八角柱、楕円柱の何れかとし、各種形状のものを混合使用しても良い。
ヒスイ塊（１）の中心線に沿って縦横に連結紐（２）を通す穴を明ける。なお、ヒスイ塊（１）の大きさは特に限定されないが、直径：６ｍｍ〜１５ｍｍ程度が好ましい。
【００１４】
ヒスイ塊（１）は、中心穴に連結紐（２）を通すことによって縦方向に上下並列のグリッド状パターンに結び付けられて、顔の形に合わせたマスク状に形成される。本考案のマスクは、中心線を基準に左右対称形をなし、人の目、口に対応する各位置に開口（４）（５）を設けられ、それぞれの開口が目及び口に合うような形と大きさに形成される。鼻に対応する位置に、鼻に合う形と大きさに形成された張り出し（７）が設けられ、鼻孔に対応する位置に切り込み穴（８）が設けられる。
縦方向のヒスイ塊（１）の並べ方は、上下並列のグリッド状に限らず、互い違いなど任意のパターンが可能である。また、ヒスイ塊（１）の間にヒスイ以外の穴明き材を挟むことにより、ヒスイ塊（１）の間隔を拡げても良い。
【００１５】
本考案のマスクの左右両端にそれぞれ耳掛け紐（３、３）が取り付けられ、一本の耳掛け紐（３）はマスクの上下２箇所で結ばれて、上の結び目が目の位置のあたりに、下の結び目が口と鼻の間に来るようにする。結び目を自由に結んだり解いたりできるようにして紐の緩みを調整可能にする。耳掛け紐（３）には、麻縄、皮紐、ナイロン紐などを用いることができる。本考案のマスクの大きさは、大人の顔全体を覆うことができるように、長さ：２４０ｍｍ〜２９０ｍｍ、高さ：１８０ｍｍ〜２２０ｍｍ位が好ましい。
なお、ヒスイ塊（１）に代えて、大理石塊、水晶塊、磁石塊を使用し、又はこれらを混合して使用することもできる。
【符号の説明】
【００１６】
１  ヒスイ塊
２  連結紐
３  耳掛け紐
４  目の位置の開口
５  口の位置の開口
６  鼻の位置の開口
７  張り出し（鼻の形に合わせる）
８  切り込み穴（呼吸のため、鼻孔の位置に明ける）
９  ヒスイ以外の穴明き材
【図１】
0003157644.tif 000003
【図２】
0003157644.tif 000004
【図３】
0003157644.tif 000005
【図４】
0003157644.tif 000006